(57)【要約】      （修正有）【課題】壁繋ぎの撤去後に構造体に開口した凹穴を埋めて所望の造形を施し補修するとともに、長期間美しい仕上がりを維持できるようにする壁繋ぎ跡の補修用具を提供する。【解決手段】壁繋ぎを撤去し、その後に構造体に開口した凹穴を造形性に優れた補修材により埋めて補修し、凹穴の開口部に露出する補修材の処理に用いる補修用具であって、壁繋ぎの撤去後に開口する凹穴の開口部に適合する大きさと形状を有するスタンプ面１７と、手で保持し得る大きさと形状を有し、かつ、上記スタンプ面を先端に形成したスタンプ本体とから成り、凹穴の開口部に露出する補修材１５に補修用スタンプに形成されているスタンプ面を押し付け、押印するときに用いることを特徴とする。【選択図】図２
0003188215.tif 000002
【実用新案登録請求の範囲】
【請求項１】
壁繋ぎを撤去し、その後に構造体に開口した凹穴を造形性に優れた補修材により埋めて補修し、凹穴の開口部に露出する補修材の処理に用いる補修用具であって、
壁繋ぎの撤去後に開口する凹穴の開口部に適合する大きさと形状を有するスタンプ面と、手で保持し得る大きさと形状を有し、かつ、上記スタンプ面を先端に形成したスタンプ本体とから成り、
凹穴の開口部に露出する補修材に補修用スタンプに形成されているスタンプ面を押し付け押印するときに用いる
ことを特徴とする壁繋ぎ跡の補修用具。
【請求項２】
スタンプ本体を挿し込める大きさと形状を有し、かつ、スタンプ面に付着したモルタルを洗浄するために、水又は洗浄液を含ませた洗浄部材を入れる容器として機能する、スタンプホルダーと組み合わせて構成され、スタンプホルダーはクリップを有し、スタンプホルダーとスタンプ本体とが紐状部材により繋がれている
ことを特徴とする請求項１記載の壁繋ぎ跡の補修用具。
【考案の詳細な説明】
【技術分野】
【０００１】
本考案は、壁繋ぎの撤去後に開口した凹穴を埋めて補修するときに使用する補修用具に関するものである。
【背景技術】
【０００２】
集合住宅やオフィスビルなどの建築物の施工時には足場が組まれ、足場は壁繋ぎにより上記のような構造体に繋ぎ止められる。施工完了により足場を撤去するに伴い、上記構造体表面には、壁繋ぎを繋ぎ止めていた部材を抜き去った跡が凹穴として開口する。従来、上記の開口は凹穴にシーリング材を充填して塞ぎ、さらにその表面を塗装して仕上げていた。しかし、上記シーリング材は乾燥、収縮によるヤセ現象を起こし、補修跡が壁面よりも引っ込んだり、シーリング材に含まれる可塑剤により塗装表面が汚染されたりするという問題があった。
【０００３】
シーリング材による補修も改良されつつあり、ブリード対策を施した製品やプライマー等が開発されている。しかしながら、壁繋ぎ跡の補修作業は足場を撤去してしまったあとでは不可能であるから、足場解体と同時に施工する必要がある。また、壁繋ぎ後の補修には時間的制約及び足場上での作業という特有の制約があり、従来の補修方法では依然として不確定要素が残っている。そこで、先行技術を調査すると、シーリング材を使用しない補修方法などが見出された。
【０００４】
例えば、特開平０７−３３１８６６号は、足場インサートに挿入して開口部を閉鎖するストッパーに関する考案を開示しているが、これでは足場インサートとの組み合わせが必須であり、それ以外の方法は適用できない。また、特開２００５−３０１８７号はシールリングを用いるとともに、カバー周りから雨水が浸入しないように化粧プラグを接着することで対処した考案である。しかし、それでは外壁とは異質なプラグが壁面にあらわれることになり、違和感が大きく、施工主によっては受け入れられない可能性が高い。
【０００５】
【特許文献１】特開平０７−３３１８６６号
【特許文献２】特開２００５−３０１８７号
【考案の開示】
【考案が解決しようとする課題】
【０００６】
本考案は前記の事情に鑑みてなされたもので、その課題は、壁繋ぎの撤去後に構造体に開口した凹穴を埋めて所望の造形を施し補修するとともに、長期間美しい仕上がりを維持できるようにすることである。また、本考案の他の課題は、時間的制約及び足場上での制約に拘らず、作業性を低下させずに仕上げられ、かつ、補修材自体が躯体強度低下の低減に役立つ壁繋ぎ跡の補修用具を提供することである。また、本考案の他の課題は、ブリードや経年変化の恐れがなく、より自然な仕上がりパターンの造形が可能な壁繋ぎ跡の補修用具を提供することである。
【課題を解決するための手段】
【０００７】
本考案は前記の課題を解決するもので、壁繋ぎを撤去し、その後に構造体に開口した凹穴を造形性に優れた補修材により埋めて補修し、凹穴の開口部に露出する補修材の処理に用いる補修用具であって、壁繋ぎの撤去後に開口する凹穴の開口部に適合する大きさと形状を有するスタンプ面と、手で保持し得る大きさと形状を有し、かつ、上記スタンプ面を先端に形成したスタンプ本体とから成り、凹穴の開口部に露出する補修材に補修用スタンプに形成されているスタンプ面を押し付け、押印するときに用いることを特徴とする壁繋ぎ跡の補修用具である。
【０００８】
本考案では、凹穴を形成している構造体の材料は無機質系材料であるコンクリートから成るので、補修材として使用し得るのは上記コンクリートと強固に接着し得る材料である必要がある。そのためには無機系、有機系どちらの補修材も使用可能であるが、例えば、樹脂と珪砂又は軽量骨材の混練物から成る樹脂モルタルを用いることにより、特に好ましい成果を得ることができる。樹脂モルタルは造形性に優れ、また、硬化することでコンクリートに開けられた壁繋ぎ撤去後の凹穴をコンクリートにより埋めるのと同等以上に強度低下を阻止する効果を発揮する。他の補修材としては、砂、セメント及び水の混練物から成る無機質のセメントモルタルを用いても、好ましい成果を得ることができる。無機質のセメントモルタルも造形性に優れ、また、硬化すると、コンクリートに開けられた壁繋ぎ撤去後の凹穴をコンクリートにより埋めるのとほぼ同等の強度低下を阻止するという効果を発揮する。なお、これらのモルタルは水溶性であるから用具を水洗浄することができるが、洗浄液には、必要に応じて有機溶剤等の溶剤を用いることができる。
【０００９】
本考案は、壁繋ぎの撤去後に開口する凹穴の開口部に適合する大きさと形状を有するスタンプ面と、手で保持し得る大きさと形状を有し、かつ、上記スタンプ面を先端に形成したスタンプ本体とから成る壁繋ぎ跡の補修用具である。スタンプ面は、壁繋ぎの撤去後の開口部に充填した補修材に押印（スタンプ）することで、任意の模様を付けることができる。従って、開口部周囲の構造体が無模様であればスタンプ模様も平坦な形態とし、特有の模様が形成されている場合にはそれに合わせることができ、或いは逆に目立つ模様とすることも可能である。
【００１０】
上記壁繋ぎ跡の補修用具は、スタンプ本体を挿し込める大きさと形状を有し、かつ、スタンプ面に付着した水溶性モルタルを洗浄するために水又は洗浄液を含ませた洗浄部材を入れる容器として機能するスタンプホルダーと組み合わされ、スタンプホルダーはクリップを有し、スタンプホルダーとスタンプ本体とが紐状部材により繋がれた構成を具備することが望ましい。
【００１１】
スタンプホルダーをクリップにより作業者のポケット又はベルト等に装着することで、作業者は足場上を移動する際に、行動を束縛されることがないので、作業性も向上する。また、スタンプ時以外には水を含ませた洗浄部材にスタンプ面を浸しておくことができ、モルタルの硬化が防止され、また、スタンプ面を洗浄部材に擦ることでモルタル等の付着物を落とすことができる。
【考案の効果】
【００１２】
本考案は以上のように構成され、かつ、作用するものであるから、壁繋ぎの撤去後に構造体に開口した凹穴が造形性に優れた補修材で埋められ、その補修材の露出部分にスタンプ面を押印することで所望の造形を施して補修され、長期間美しい仕上がりを維持することができるという効果を奏する。また、本考案によれば、補修材を凹穴に充填しスタンプ面を押印する方法により補修することができるので、壁繋ぎ撤去時における時間的制約及び足場上での制約に拘らず、作業性を低下させずに仕上げられるという効果が得られ、かつ、補修材自体が躯体強度低下の低減に役立つという顕著な効果を奏する。また、本考案によれば、ブリードや経年変化の恐れがなく、スタンプ面の意匠を変更することにより自然な仕上がりパターンの造形が可能になる。
【考案を実施するための最良の形態】
【００１３】
以下、図示の実施形態を参照して本考案をより詳細に説明する。本考案は補修用具に関するものであるが、補修工事を施工する工程において使用されるものであるので、補修方法を先に説明する。
＜壁繋ぎ跡の補修方法＞
図は本考案に係る壁繋ぎ跡の補修方法を工程順に示しており、図１は壁繋ぎの撤去後に、構造体１１に開口した凹穴１２を図示したもので、１３は開口部を示す。図１の状態は、壁繋ぎの撤去直後の構造体１１に現われるもので、作業者がまだ残存している足場上で補修作業を実施する段階である。凹穴１２はコンクリート壁面に穴を開けただけの形態になっているが、実際にはメネジタイプの後施工アンカーが撃ち込まれ、そのメネジにボルトを螺合させ壁繋ぎを行なっている（図示は、後施工アンカーを省略して示されている。）。また、開口部１３の正面形状は円形であるが、これらの形状は一つの例として示したものである。
【００１４】
本考案の補修方法では、初めに、無機質系の補修材１５を開口部１３から凹穴１２に充填し、これを埋める工程（以下、充填工程という）が実施される。図２は、既に凹穴１２への補修材１５の充填を完了した段階である。凹穴１２を形成している構造体１１の材料が無機質系材料であるコンクリートから成るので、補修材１５としてエポキシ樹脂やウレタン樹脂等をバインダーとして用い、それらの樹脂と珪砂又は軽量骨材等を所定の比率で混練して成る樹脂モルタルが最適である。上記樹脂モルタルとしては、市販の樹脂モルタル又はポリマーセメントモルタルを使用することができる。なお、１４はプライマーを示しており、必要に応じ凹穴内壁面に塗布して付着強度の向上作用を果たす。また、補修材１５としては、砂、セメント及び水の混練物から成る無機質系のモルタルも適している。上記モルタルはセメントと砂を一般的な比率（１：２ないし１：３）で混練したもので良い。これらのモルタルは水溶性であり、硬化前の段階では水洗浄が可能である。
【００１５】
次の工程では、上記開口部１３に露出する補修材１５に対して補修用スタンプ１６を押し付ける工程（以下、スタンプ工程という、図２参照）が実施される。この補修用スタンプ１６は、所望の模様から成るスタンプ面１７を先端に有しており、スタンプ面１７は上記開口部１３の大きさ及び形状とほぼ同等又は少し大きめの大きさ及び形状を有する。しかし、開口部１３よりも小さいものも使えないわけではなく、現場に応じて使い分けることができる。
【００１６】
上記スタンプ工程ではスタンプ１６に形成されているスタンプ面１７を、補修材１５の開口部１３に現われている露出面１８に押し付けて離す、押印（スタンプ）する作業がなされる。その結果、補修材１５の露出面１８には、スタンプ面１７の形状、模様が転写された形状、模様から成る補修面１９が形成されることになる（図３参照）。図３では、横縞模様の補修面１９を示しているが、これは開口部周囲の構造体１１の模様１１ａに一致させた場合の例である。よって、このように一致する模様を選択した場合、補修面１９は開口部周囲に溶け込んでほとんど分からないように補修することが可能になる。なお、補修面１９は塗装し、最終仕上げとするのが通常である。
【００１７】
本考案に係る上記の補修方法では、補修材として樹脂モルタル又は無機質系のモルタル材料を使用することが可能であり、従って、従来用いられたシーリング材で想定された収縮やブリードの恐れがなくなり、作業性が改善される。特に良好な造形性により、上記のスタンプ面１７を押印して得られる補修面１９は塗装パターンに近い仕上がりとなり、以下のような効果が得られる。
１．補修材の塗装表面への移行による汚染がなく、長期間美しい仕上がりが維持される。
２．スタンプ面１７の形状、模様を任意に選択できるので、仕上がり跡が目立たず、より自然な仕上がりとなる。
３．補修材に樹脂モルタル等の材料を用いることで、躯体強度低下の低減が図れる。
４．時間的制約及び足場上での制約に拘らず、作業性を低下させずに仕上げられる。
５．経年変化が無いかあっても軽微であり、補修の手間及び費用が掛からない。
【００１８】
このような壁繋ぎ跡の補修方法に用いる補修用具の実施形態について説明する。
＜壁繋ぎ跡の補修用具＞
本考案に係る壁繋ぎ跡の補修用具２０として必要最小限度の構成を示すと、それは壁繋ぎの撤去後に開口する凹穴１２の開口部１３に適合する大きさと形状を有する上記スタンプ面１７と、手で保持し得る大きさと形状を有し、かつ、上記スタンプ面１７を先端に形成したスタンプ本体２１とから構成される。前記補修方法において補修用スタンプ１６として使われているのはスタンプ本体２１にスタンプ面１７を設けたものに相当する。
【００１９】
実施形態として図示したスタンプ本体２１は手で保持し得る長さの丸棒状のもので、その先端に、開口部１３の大きさと形状に適合させた頭部２２を有し、この頭部２２の端面にスタンプ面１７が設けられている（図４の一部を参照のこと）。従って、作業者は、このスタンプ本体２１だけを手に持って、前記の補修方法を実施することも可能である。その場合、スタンプ面１７を洗浄するために水又は洗浄液を入れたバケツ等を準備していれば、全く支承無く作業を進めることができる。
【００２０】
しかしながら、壁繋ぎ跡の補修用具２０としては、スタンプ本体２１を挿し込める大きさと形状を有し、かつ、スタンプ面１７に付着した樹脂モルタル又は無機質系モルタルを洗浄するために水又は洗浄液を含ませた洗浄部材を入れる容器として機能するスタンプホルダー２３と組み合わされ、スタンプホルダー２３はクリップ２４を有し、スタンプホルダー２３とスタンプ本体２１とが紐状部材２５により繋がれた構成を備えていることが望まれる。２６、２７は連結金具を示しており、スタンプホルダー２３とスタンプ本体２１とを繋ぐために紐状部材２５に設けられている。
【００２１】
上記スタンプ本体２１をスタンプホルダー２３に収めた状態を図５及び図６に示す。図示の通り、スタンプホルダー２３の内部には樹脂モルタル又は無機質系モルタルを洗浄するために水又は洗浄液を含ませた洗浄部材２８が入っている。洗浄部材２８は、例えば、透水性のスポンジから成り、そこに含まれている水又は洗浄液にスタンプ本体２１のスタンプ面１７が常時接触するように設けられている。なお、洗浄液には樹脂モルタルの洗浄のための溶剤を含む。付け加えると、スタンプ本体２１は軽量化と加工性、コストを考慮して熱可塑性樹脂を用いて製作し、スタンプホルダー２３は錆に強く長期間使用可能なＳＵＳ材製を用いて制作するのが最良である。
【００２２】
壁繋ぎ跡の補修に当たる作業者は、このように構成されている本考案の補修用具２０をそのクリップ２４にて作業着のポケット等に固定して携帯する。作業中作業者は解体前の足場上を移動しつつ構造体１１に開口している凹穴１２を埋めて補修するのであるが、そうした制約の中でも作業者は、あたかもポケットからペンを取り出すようにしてスタンプホルダー２３からスタンプ本体２１を取り出せるので、非常にスムーズに補修作業を実施することができる。
【００２３】
従って、手先の作業だけで構造体１１に開口した凹穴１２を埋めて補修することができるとともに、スタンプ本体２１を取り落としても紐状部材の２５で繋がれているため拾いに行く必要がない。また、スタンプ作業を繰り返してスタンプ面１７が汚れても、その場で洗浄可能であるから作業中に足場から降りる必要がなく、作業性を損なうことがない。
【図面の簡単な説明】
【００２４】
【図１】本考案に係る壁繋ぎ跡の補修方法の一例を示す断面説明図である。
【図２】同上の方法における補修材の充填工程を示す断面説明図である。
【図３】同じく補修材露出面に対するスタンプ工程を示す断面説明図である。
【図４】本考案に係る壁繋ぎ跡の補修用具の一例を示す斜視図である。
【図５】同じくスタンプ本体をスタンプホルダーに収めた状態を示す斜視図である。
【図６】同じくスタンプホルダーの内部を示す断面説明図である。
【符号の説明】
【００２５】
１１  構造体
１２  凹穴
１３  開口部
１４  プライマー
１５  補修材
１６  補修用スタンプ
１７  スタンプ面
１８  露出面
１９  補修面
２０  壁繋ぎ跡の補修用具
２１  スタンプ本体
２２  頭部
２３  スタンプホルダー
２４  クリップ
２５  紐状部材
２６、２７  連結金具
２８  洗浄部材
【図１】
0003188215.tif 000003
【図２】
0003188215.tif 000004
【図３】
0003188215.tif 000005
【図４】
0003188215.tif 000006
【図５】
0003188215.tif 000007
【図６】
0003188215.tif 000008